(57)【要約】【課題】シャワー室の環境改善が可能な電気瞬間湯沸器を提供すること。【解決手段】本発明の電気瞬間湯沸器は、水通路に設けた加熱手段１を備え、加熱手段１で加熱した湯を吐出する電気瞬間湯沸器であって、マイナスイオンを発生させるマイナスイオン発生装置５と、マイナスイオン発生装置５で発生したマイナスイオンを外部へ送る送風ファン６とを備えたことにより、シャワー室内にマイナスイオンを満たす事ができ、空質改善を図ることができる。【選択図】図１
2010007914.tif 000002
【特許請求の範囲】
【請求項１】
水通路に設けた加熱手段を備え、前記加熱手段で加熱した湯を吐出する電気瞬間湯沸器であって、マイナスイオンを発生させるマイナスイオン発生装置と、前記マイナスイオン発生装置で発生したマイナスイオンを外部へ送る送風ファンとを備えたことを特徴とする電気瞬間湯沸器。
【請求項２】
前記水通路に流量検出装置を備え、前記流量検出装置で流量を検出している時のみ前記マイナスイオン発生装置でマイナスイオンを発生させることを特徴とする請求項１に記載の電気瞬間湯沸器。
【請求項３】
前記水通路に開閉弁を備え、前記開閉弁が開弁している時のみ前記マイナスイオン発生装置でマイナスイオンを発生させることを特徴とする請求項１に記載の電気瞬間湯沸器。
【請求項４】
電気瞬間湯沸器の前面を構成する前面パネルにＬＥＤランプを備え、前記マイナスイオン発生装置が動作している時に、ＬＥＤランプを点灯させることを特徴とする請求項１から３のいずれか１項に記載の電気瞬間湯沸器。
【発明の詳細な説明】
【技術分野】
【０００１】
本発明は、電気瞬間湯沸器に関するものである。
【背景技術】
【０００２】
従来、この種の電気瞬間湯沸器は、機器内に加熱手段としてシーズヒーターを有し、通水を加熱して、温水のシャワーを提供するものがある（例えば、特許文献１参照）。
【０００３】
図５は、従来の電気瞬間湯沸器を示すものである。図５で示すように、水を加熱するヒーターユニット１、１の構成部品で、電気エネルギを熱エネルギに変換する加熱手段２（例えば、シーズヒーター）、制御装置３、電力制御手段７、水入り口９、湯出口１０、お湯を通すシャワーホース１１、お湯を吐出するシャワーヘッド１２から構成されている。
【特許文献１】特開２００４−１１９７７号公報
【発明の開示】
【発明が解決しようとする課題】
【０００４】
しかしながら上記従来の電気瞬間湯沸器においては、シャワー室において温水による快適なシャワーを提供できるものの、近年では、健康に対しユーザーの関心が高まっており、さらなる、シャワー室の空質も含めた環境を改善するという課題を有している。
【０００５】
本発明は上記課題を解決するもので、シャワー室の環境改善が可能な電気瞬間湯沸器を提供することを目的とする。
【課題を解決するための手段】
【０００６】
前記従来の課題を解決するために、本発明の電気瞬間湯沸器は、水通路に設けた加熱手段を備え、前記加熱手段で加熱した湯を吐出する電気瞬間湯沸器であって、マイナスイオンを発生させるマイナスイオン発生装置と、前記マイナスイオン発生装置で発生したマイナスイオンを外部へ送る送風ファンとを備えたことにより、シャワー室内にマイナスイオンを満たす事ができ、空質改善を図ることができる。さらに、電気瞬間湯沸器内にマイナスイオン発生装置を設けるので、新たに空気調和機等の空調設備を設置することなく、空質の改善を図ることができる。
【発明の効果】
【０００７】
本発明は、シャワー室の環境改善が可能な電気瞬間湯沸器を提供することができる。
【発明を実施するための最良の形態】
【０００８】
第１の発明の電気瞬間湯沸器は、水通路に設けた加熱手段を備え、前記加熱手段で加熱した湯を吐出する電気瞬間湯沸器であって、マイナスイオンを発生させるマイナスイオン発生装置と、前記マイナスイオン発生装置で発生したマイナスイオンを外部へ送る送風ファンとを備えたことにより、シャワー室内にマイナスイオンを満たす事ができ、空質改善を図ることができる。
【０００９】
第２の発明の電気瞬間湯沸器は、特に第１の発明において、前記水通路に流量検出装置を備え、前記流量検出装置で流量を検出している時のみ前記マイナスイオン発生装置でマイナスイオンを発生させることにより、シャワー使用中のみシャワー室内にマイナスイオンを満たすことができ、非常に使い勝手を良くすることができる。
【００１０】
第３の発明の電気瞬間湯沸器は、特に第１の発明において、前記水通路に開閉弁を備え
、前記開閉弁が開弁している時のみ前記マイナスイオン発生装置でマイナスイオンを発生させることにより、シャワー使用中のみシャワー室内にマイナスイオンを満たすことができ、非常に使い勝手を良くすることができる。
【００１１】
第４の発明の電気瞬間湯沸器は、特に第１〜第３の発明において、電気瞬間湯沸器の前面を構成する前面パネルにＬＥＤランプを備え、前記マイナスイオン発生装置が動作している時に、ＬＥＤランプを点灯させることにより、ユーザーがマイナスイオンが発生している状態を知ることができ、ユーザーにマイナスイオンに満たされた快適なシャワー空間を提供する事が出来る。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気瞬間湯沸器の構成図を示すものである。図１において、水を加熱するヒーターユニット１は、電気エネルギを熱エネルギに変換する加熱手段２（例えば、シーズヒータ）を備えており、制御手段４とそれと接続される電力制御手段７で、その熱出力をコントロールする。また制御手段４は、マイナスイオン発生装置５、送風ファン６の動作も制御する構成となっている。
【００１４】
以上のように構成された電気瞬間湯沸器について、以下その動作作用を説明する。まず、シャワーを使用するときは、水入り口９より入った水が、ヒーターユニット１によって加熱され、湯出口１０、シャワーホース１１を経由し、シャワーヘッド１２から出力される、ユーザーはシャワーを浴びる事が出来る。
【００１５】
一方で、マイナスイオン発生装置５によって発生したマイナスイオンは、送風ファン６により、機器内部から、マイナスイオン出口８より、機器外部へと放出され、マイナスイオンも同時に浴びることが出来る。
【００１６】
以上のように、本実施の形態においては、機器内部に設けたマイナスイオン発生装置５によって、シャワーと同時にマイナスイオンを浴びることができ、ユーザーにマイナスイオンに満たされた快適なシャワー空間を提供する事が出来る。
【００１７】
図２は、流量検出装置１３を備えた電気瞬間湯沸器の構成図を示すものである。流量検出装置１３を備えた以外は、図１に示す電気瞬間湯沸器の構成と同じである。図２において、流量検出装置１３は、制御手段４と有機的に関連しており、制御手段４により、流量検出装置１３が流量を検出するとマイナスイオン発生装置５が動作する構成となっている。
【００１８】
そしてシャワーを使用するとき、水入り口９より入った水が、ある一定流量以上になると流量検出装置１３が検出して、ヒーターユニット１により加熱され、湯出口１０、シャワーホース１１を経由し、シャワーヘッド１２から出力される。
【００１９】
同時に、マイナスイオン発生装置５が動作し、発生したマイナスイオンは、送風ファン６により、機器内部から、マイナスイオン出口８より、機器外部へと放出され、マイナスイオンも浴びることが出来る。
【００２０】
以上のように、本実施の形態においては、機器内部に設けたマイナスイオン発生装置５によって、シャワーと連動してマイナスイオンを浴びることができ、ユーザーにマイナスイオンに満たされた快適なシャワー空間を提供する事が出来る。
【００２１】
図３は、開閉弁を備えた電気瞬間湯沸器の構成図を示すものである。開閉弁１４を備えた以外は、図１に示す電気瞬間湯沸器の構成と同じである。図３において、開閉弁１４は、制御手段４と有機的に関連しており、制御手段４により、開閉弁１４が開弁するとマイナスイオン発生装置５が動作する構成となっている。
【００２２】
そして、シャワーを使用するとき、開閉弁１４開弁する事で、水入り口９より入った水が、ヒーターユニット１により加熱され、湯出口１０、シャワーホース１１を経由し、シャワーヘッド１２から出力される。
【００２３】
開閉弁１４の開弁と同時に、マイナスイオン発生装置５が動作し、発生したマイナスイオンは、送風ファン６により、機器内部から、マイナスイオン出口８より、機器外部へと放出され、マイナスイオンも浴びることが出来る。
【００２４】
以上のように、本実施の形態においては、機器内部に設けたマイナスイオン発生装置５によって、シャワーと連動してマイナスイオンを浴びることができ、ユーザーにマイナスイオンに満たされた快適なシャワー空間を提供する事が出来る。
【００２５】
図４は、筐体を構成する前面パネルからＬＥＤのランプが見える構造とした電気瞬間湯沸器の構成図を示すものである。ＬＥＤランプ１５を設ける以外は、図１に示す電気瞬間湯沸器の構成と同じである。
【００２６】
図４において、ＬＥＤランプ１５は、制御手段４と有機的に関連しており、マイナスイオン発生装置５が動作すると、制御手段４によりＬＥＤランプ１５が点灯する構成となっている。
【００２７】
そしてシャワーを使用するとき、水入り口９より入った水が、ヒーターユニット１により加熱され、湯出口１０、シャワーホース１１を経由し、シャワーヘッド１２から出力される。
【００２８】
また、マイナスイオン発生装置５が動作し手いる場合は、ＬＥＤランプ１５が点灯するとともに、発生したマイナスイオンは、送風ファン６により、機器内部から、マイナスイオン出口８より、機器外部へと放出され、マイナスイオンも浴びることが出来る。
【００２９】
以上のように、本実施の形態においては、機器内部に設けたマイナスイオン発生装置５によって、シャワーと連動してマイナスイオンを浴びることができ、またイオン発生装置の動作をユーザーに知らせることが出来、ユーザーにマイナスイオンに満たされた快適なシャワー空間を提供する事が出来る。
【産業上の利用可能性】
【００３０】
以上のように、本発明にかかる電気瞬間湯沸器は、マイナスイオンを発生させる事ができ、ユーザーにマイナスイオンに満たされた快適なシャワー空間を提供する事が可能となり、シャワー室だけではなくて浴槽を有する浴室内にも効果的である。
【図面の簡単な説明】
【００３１】
【図１】本発明の実施の形態１における電気瞬間湯沸器の構成図
【図２】同電気瞬間湯沸器の構成図
【図３】同電気瞬間湯沸器の構成図
【図４】同電気瞬間湯沸器の構成図
【図５】従来の電気瞬間湯沸器の構成図
【符号の説明】
【００３２】
１  ヒーターユニット
４  制御手段
５  マイナスイオン発生装置
６  送風ファン
１３  流量検出装置
１４  開閉弁
１５  ＬＥＤランプ
【図１】
2010007914.tif 000003
【図２】
2010007914.tif 000004
【図３】
2010007914.tif 000005
【図４】
2010007914.tif 000006
【図５】
2010007914.tif 000007